(57)【要約】【課題】リワーク性に優れたタッチパネル付き液晶表示装置を提供する。【解決手段】本発明のタッチパネル付き液晶表示装置は、液晶表示パネル２と、液晶表示パネル２の表示面２ａに接着層６を介して貼り付けられるタッチパネル３と、液晶表示パネル２の背面２ｂ側に配置されるバックライトユニット４と、液晶表示パネル２とバックライトユニット４とを互いに固定するための固定部材５Ａと、を備える。固定部材５Ａは、液晶表示パネル２の表示面２ａのうち接着層６が形成されない周縁部に貼り付けられる第１の端部５１と、バックライトユニット４の外面に貼り付けられる第２の端部５２と、第１の端部５１と第２の端部５２の間に位置し、バックライトユニット４の外面に接触するが貼り付けられない非接着部５３と、を備える。【選択図】図３
2014041219.tif 000002
【特許請求の範囲】
【請求項１】
液晶表示パネルと、
前記液晶表示パネルの表示面に接着層を介して貼り付けられるタッチパネルと、
前記液晶表示パネルの背面側に配置されるバックライトユニットと、
前記液晶表示パネルと前記バックライトユニットとを互いに固定するための固定部材と、
を備えるタッチパネル付き液晶表示装置であって、
前記固定部材は、
前記液晶表示パネルの表示面のうち前記接着層が形成されない周縁部に貼り付けられる第１の端部と、
前記バックライトユニットの外面に貼り付けられる第２の端部と、
前記第１の端部と前記第２の端部の間に位置し、前記バックライトユニットの外面に接触するが貼り付けられない非接着部と、
を備える、
ことを特徴とするタッチパネル付き液晶表示装置。
【請求項２】
前記固定部材は、前記第１の端部に接着層を有し、それ以外の部分に接着層を有さない接着テープであり、
前記第２の端部が、他の接着部材によって前記バックライトユニットの外面に貼り付けられる、
請求項１に記載のタッチパネル付き液晶表示装置。
【請求項３】
前記固定部材は、前記第１の端部と前記第２の端部とに接着層を有し、前記第１の端部と前記第２の端部との間に接着層を有さない接着テープである、
請求項１に記載のタッチパネル付き液晶表示装置。
【請求項４】
前記固定部材は、前記第１の端部を含む、前記タッチパネルと対向する第１の辺部と、前記第２の端部を含む、前記バックライトユニットの側面と対向する第２の辺部と、がＬ字状を為す剛性部材である、
請求項１に記載のタッチパネル付き液晶表示装置。
【請求項５】
前記固定部材は、前記バックライトユニットの外面のうち前記タッチパネルと対向する部分と接触する部分に接着層を有さない接着テープである、
請求項１に記載のタッチパネル付き液晶表示装置。
【請求項６】
前記タッチパネルの背面と前記バックライトユニットの外面とに貼り付けられ、前記タッチパネルと前記バックライトユニットとを互いに固定するための固定部材をさらに備える、
請求項１に記載のタッチパネル付き液晶表示装置。
【請求項７】
液晶表示パネルと、
前記液晶表示パネルの表示面に接着層を介して貼り付けられるタッチパネルと、
前記液晶表示パネルの背面側に配置されるバックライトユニットと、
前記タッチパネルと前記バックライトユニットとを互いに固定するための固定部材と、
を備えるタッチパネル付き液晶表示装置であって、
前記固定部材は、前記タッチパネルの背面と前記バックライトユニットの外面とに貼り付けられる、
ことを特徴とするタッチパネル付き液晶表示装置。
【発明の詳細な説明】
【技術分野】
【０００１】
本発明はタッチパネル付き液晶表示装置に関し、特にはバックライトユニットの固定に関する。
【背景技術】
【０００２】
特許文献１に開示された液晶表示装置では、液晶表示パネルとバックライトユニットとを互いに固定するため、液晶表示パネルの表示面の周縁部からバックライトユニットの外面にわたって接着テープが貼り付けられている。
【先行技術文献】
【特許文献】
【０００３】
【特許文献１】特開２０１１−２７８７９号公報
【発明の概要】
【発明が解決しようとする課題】
【０００４】
ところで、特許文献１のように接着テープによって液晶表示パネルとバックライトユニットとを互いに固定した組立体を組み立てた後に、バックライトユニットの不具合等の理由で、組立体からバックライトユニットを取り外す必要が生じた場合、バックライトユニットの外面から接着テープを剥がすことになる。この際、接着テープが皺だらけになって再利用が不可となり、接着テープ自体を交換する必要が生じることがある。
【０００５】
しかしながら、液晶表示パネルの表示面にタッチパネルが貼り付けられている場合、接着テープの端部が、液晶表示パネルとタッチパネルの間の僅かな隙間に入り込んでいるため、接着テープの交換が困難である。また、互いに貼り付けられた液晶表示パネルとタッチパネルとを引き剥がせば、接着テープの交換は容易になるが、引き剥がしの際に液晶表示パネル又はタッチパネルが損傷するおそれがある。
【０００６】
本発明は、上記実情に鑑みて為されたものであり、リワーク性に優れたタッチパネル付き液晶表示装置を提供することを主な目的とする。
【課題を解決するための手段】
【０００７】
上記課題を解決するため、本発明のタッチパネル付き液晶表示装置は、液晶表示パネルと、前記液晶表示パネルの表示面に接着層を介して貼り付けられるタッチパネルと、前記液晶表示パネルの背面側に配置されるバックライトユニットと、前記液晶表示パネルと前記バックライトユニットとを互いに固定するための固定部材と、を備える。前記固定部材は、前記液晶表示パネルの表示面のうち前記接着層が形成されない周縁部に貼り付けられる第１の端部と、前記バックライトユニットの外面に貼り付けられる第２の端部と、前記第１の端部と前記第２の端部の間に位置し、前記バックライトユニットの外面に接触するが貼り付けられない非接着部と、を備える。
【０００８】
また、本発明の一態様では、前記固定部材は、前記第１の端部に接着層を有し、それ以外の部分に接着層を有さない接着テープであり、前記第２の端部が、他の接着部材によって前記バックライトユニットの外面に貼り付けられてもよい。
【０００９】
また、本発明の一態様では、前記固定部材は、前記第１の端部と前記第２の端部とに接着層を有し、前記第１の端部と前記第２の端部との間に接着層を有さない接着テープであってもよい。
【００１０】
また、本発明の一態様では、前記固定部材は、前記第１の端部を含む、前記タッチパネルと対向する第１の辺部と、前記第２の端部を含む、前記バックライトユニットの側面と対向する第２の辺部と、がＬ字状を為す剛性部材であってもよい。
【００１１】
また、本発明の一態様では、前記固定部材は、前記バックライトユニットの外面のうち前記タッチパネルと対向する部分と接触する部分に接着層を有さない接着テープであってもよい。
【００１２】
また、本発明の一態様では、前記タッチパネルの背面と前記バックライトユニットの外面とに貼り付けられ、前記タッチパネルと前記バックライトユニットとを互いに固定するための固定部材をさらに備えてもよい。
【００１３】
また、本発明のタッチパネル付き液晶表示装置は、液晶表示パネルと、前記液晶表示パネルの表示面に接着層を介して貼り付けられるタッチパネルと、前記液晶表示パネルの背面側に配置されるバックライトユニットと、前記タッチパネルと前記バックライトユニットとを互いに固定するための固定部材と、を備える。前記固定部材は、前記タッチパネルの背面と前記バックライトユニットの外面とに貼り付けられる。
【発明の効果】
【００１４】
本発明によると、固定部材が非接着部を備えているので、第２の端部をバックライトユニットの外面から剥がしても、固定部材の再利用が不可になる可能性が少ない。
【図面の簡単な説明】
【００１５】
【図１】タッチパネル付き液晶表示装置の分解斜視図である。
【図２】タッチパネル付き液晶表示装置の断面図である。
【図３】第１例に係る固定部材を模式的に表す図である。
【図４】第２例に係る固定部材を模式的に表す図である。
【図５】第３例に係る固定部材を模式的に表す図である。
【図６】第４例に係る固定部材を模式的に表す図である。
【図７】他の例に係る固定部材を模式的に表す図である。
【図８】他の例に係る固定部材を模式的に表す図である。
【発明を実施するための形態】
【００１６】
本発明のタッチパネル付き液晶表示装置の実施形態を、図面を参照しながら説明する。図１及び図２は、タッチパネル付き液晶表示装置１の分解斜視図及び断面図である。タッチパネル付き液晶表示装置１は、液晶表示パネル２と、液晶表示パネル２の表示面２ａ側に配置されるタッチパネル３と、液晶表示パネル２の背面２ｂ側に配置されるバックライトユニット４と、を備えている。
【００１７】
液晶表示パネル２は、カラーフィルタが設けられたＣＦ基板２１と、薄膜トランジスタが設けられたＴＦＴ基板２２と、を備えており、これらＣＦ基板２１とＴＦＴ基板２２の間に液晶が保持されている。また、液晶表示パネル２は、ＣＦ基板２１とＴＦＴ基板２２を挟むように配置された偏光板２３，２４を備えている。また、液晶表示パネル２は、縁部から外方に延出する複数のＦＰＣ２７と、ＦＰＣ２７の端部に接続されたコネクタ２８と、を備えている。なお、本明細書において、表示面２ａとは、液晶表示パネル２のうちタッチパネル３と対向する全ての面を指しており、偏光板２３の表面のみに限定されない。
【００１８】
液晶表示パネル２は、タッチパネル３の背面３ｂに透明な接着層６を介して貼り付けられている。液晶表示パネル２の表示面２ａのうち周縁部を除いた矩形状の領域は貼り付け領域２９とされており、この貼り付け領域２９と、それに対応するタッチパネル３の背面３ｂの貼り付け領域３９との間に接着層６が配置されている。詳しくは、接着層６は、液晶表示パネル２の偏光板２３上に配置されている。接着層６は、例えば、透明な両面テープであってもよいし、透明な樹脂系接着剤であってもよい。
【００１９】
バックライトユニット４は、液晶表示パネル２と対向する側に凹部４ａを有しており、この凹部４ａ内に液晶表示パネル２が収納されている。バックライトユニット４は、矩形枠状の第１，第２の枠部４１，４２と、これらに保持される導光部材４３と、導光部材４３の背面側に配置される反射シート４３と、液晶表示パネル２と導光部材４３の間に配置される複数の光学シート４５，４６と、を備えている。第１の枠部４１には、タッチパネル３に向けて張り出し、凹部４ａを形成する張出部４１２が形成されている。
【００２０】
さらに、タッチパネル付き液晶表示装置１は、液晶表示パネル２とバックライトユニット４とを互いに固定するための固定部材５を備えている。固定部材５は、例えば接着テープ等からなり、液晶表示パネル２の表示面２ａのうち接着層６が形成されない周縁部と、バックライトユニット４の外面と、に貼り付けられている。
【００２１】
タッチパネル付き液晶表示装置１は、液晶表示パネル２の表示面２ａのうち接着層６が形成されない周縁部に固定部材５の一方の端部を貼り付けた状態で、液晶表示パネル２の表示面２ａに接着層６を介してタッチパネル３を貼り付け、その後、液晶表示パネル２の背面２ｂ側に配置されるバックライトユニット４の外面に固定部材５の他方の端部を貼り付けることによって製造される。
【００２２】
なお、液晶表示パネル２に設けられたＦＰＣ２７及びコネクタ２８は、固定部材５に巻き込まれて、バックライトユニット４の外面に沿って配置される。固定部材５には、コネクタ２８に設けられた端子を外部に露出させるための開口５ａが形成されている。
【００２３】
以下、固定部材５の各例について説明する。なお、各例で重複する構成については、同番号を付すことで詳細な説明を省略する。
【００２４】
図３は、第１例に係る固定部材５Ａを模式的に表す図である。固定部材５Ａは、樹脂材料のシート材からなる帯状の基材層５５を有する接着テープであり、液晶表示パネル２の表示面２ａの周縁部に貼り付けられる第１の端部５１にのみ樹脂系接着剤からなる接着層５６を有しており、それ以外の部分には接着層を有していない。第１の端部５１とは反対側の第２の端部５２は、例えば接着テープ等からなる接着部材７によって、バックライトユニット４の背面４ｂに貼り付けられている。固定部材５Ａのうち接着層５６を有さない部分は、基材層５５が剥き出しになった非接着部５３であり、非接着部５３は、バックライトユニット４の背面４ｂ、側面４ｃ及び対向面４ｄと接触するのみである。
【００２５】
本例によると、固定部材５Ａの第２の端部５２をバックライトユニット４の背面４ｂに貼り付けるための接着部材７を剥がすだけで、固定部材５Ａの第１の端部５１のみが液晶表示パネル２の表示面２ａに貼り付いた状態となり、バックライトユニット４の取り外しが可能となる。また、固定部材５Ａの非接着部５３は、接着層を有さないので、バックライトユニット４の背面４ｂ、側面４ｃ及び対向面４ｄへの貼り付きや接着層同士の貼り付きによって皺だらけになることがなく、固定部材５Ａを再利用に供することが容易である。
【００２６】
図４は、第２例に係る固定部材５Ｂを模式的に表す図である。固定部材５Ｂも、樹脂材料のシート材からなる帯状の基材層５５を有する接着テープであり、液晶表示パネル２の表示面２ａの周縁部に貼り付けられる第１の端部５１に樹脂系接着剤からなる接着層５６を有し、バックライトユニット４の背面４ｂに貼り付けられる第２の端部５２にも樹脂系接着剤からなる接着層５７を有し、第１の端部５１と第２の端部５２の間には接着層を有していない。固定部材５Ｂのうち接着層５６，５７を有さない部分は、基材層５５が剥き出しになった非接着部５３であり、非接着部５３は、バックライトユニット４の背面４ｂ、側面４ｃ及び対向面４ｄと接触するのみである。
【００２７】
本例によると、固定部材５Ｂの第２の端部５２をバックライトユニット４の背面４ｂから剥がすだけで、固定部材５Ｂの第１の端部５１のみが液晶表示パネル２の表示面２ａに貼り付いた状態となり、バックライトユニット４の取り外しが可能となる。また、固定部材５Ｂの非接着部５３は、接着層を有さないので、バックライトユニット４の背面４ｂ、側面４ｃ及び対向面４ｄへの貼り付きや接着層同士の貼り付きによって皺だらけになることがなく、固定部材５Ｂを再利用に供することが容易である。
【００２８】
図５は、第３例に係る固定部材５Ｃを模式的に表す図である。固定部材５Ｃは、樹脂材料からなるＬ字状の剛性部材であり、タッチパネル３の背面３ｂと対向する第１の辺部５８と、バックライトユニット４の側面４ｃと対向する第２の辺部５９と、を備えている。第１の辺部５８は、液晶表示パネル２の表示面２ａの周縁部とタッチパネル３の背面３ｂとの隙間、及びバックライトユニット４の対向面４ｄとタッチパネル３の背面３ｂとの隙間に挿入されている。第１の辺部５８に含まれる第１の端部５１は、液晶表示パネル２の表示面２ａの周縁部に貼り付けられる樹脂系接着剤からなる接着層５６を有している。第２の辺部５９に含まれる第２の端部５２は、例えば接着テープ等からなる接着部材７によって、バックライトユニット４の側面４ｃに貼り付けられている。固定部材５Ｃのうち接着層５６を有さない部分は非接着部５３であり、非接着部５３は、バックライトユニット４の側面４ｃと接触するのみである。
【００２９】
本例によると、固定部材５Ｃの第２の端部５２をバックライトユニット４の側面４ｃに貼り付けるための接着部材７を剥がすだけで、固定部材５Ｃの第１の端部５１のみが液晶表示パネル２の表示面２ａに貼り付いた状態となり、バックライトユニット４の取り外しが可能となる。また、固定部材５Ｃは剛性部材であることから、皺だらけになることがなく、再利用に供することが容易である。さらに、固定部材５Ｃは、液晶表示パネル２の背面２ｂ側にバックライトユニット４を配置する際のガイドとなることから、タッチパネル付き液晶表示装置１の製造が容易となる。
【００３０】
図６は、第４例に係る固定部材５Ｄを模式的に表す図である。固定部材５Ｄは、樹脂材料のシート材からなる帯状の基材層５５を有する接着テープであり、液晶表示パネル２の表示面２ａの周縁部に貼り付けられる樹脂系接着剤からなる接着層５６と、バックライトユニット４の背面４ｂ及び側面４ｃに貼り付けられる樹脂系接着剤からなる接着層５７と、を有しており、接着層５６，５７の間には接着層を有していない。固定部材５Ｄのうち接着層５６，５７を有さない部分は、基材層５５が剥き出しになった非接着部５３であり、非接着部５３は、バックライトユニット４のうちタッチパネル３と対向する対向面４ｄと接触するのみである。すなわち、固定部材５Ｄは、バックライトユニット４の対向面４ｄと接触する部分に接着層を有していない。
【００３１】
バックライトユニット４の対向面４ｄとタッチパネル３の背面３ｂとの間には十分な隙間がないことから、バックライトユニット４の対向面４ｄに接着テープが貼り付くと、剥がすことが困難となる。そこで、本例のように、固定部材５Ｄのうち、少なくともバックライトユニット４の対向面４ｄと接触する部分に接着層５６，５７を形成しないようにすることで、バックライトユニット４の取り外しが容易となる。
【００３２】
図７は、他の例に係る固定部材８を模式的に表す図である。タッチパネル付き液晶表示装置１は、タッチパネル３とバックライトユニット４とを互いに固定するための固定部材８を備えている。固定部材８は、例えば接着テープ等からなり、樹脂材料のシート材からなる帯状の基材層８１と、樹脂系接着剤からなる接着層８２と、を有している。固定部材８は、タッチパネル３の背面３ｂと、バックライトユニット４の背面４ｂ・側面４ｃと、に貼り付けられている。
【００３３】
以上、本発明の実施形態について説明したが、本発明は上記実施形態に限定されるものではなく、種々の変形実施が当業者にとって可能であるのはもちろんである。
【００３４】
例えば、上記図３〜図６に示される固定部材５（５Ａ〜５Ｄ）と、上記図７に示される固定部材８と、が両方とも用いられてもよい。例えば、図８に示されるように、固定部材５と固定部材８とがバックライトユニット４の周縁に沿って交互に配置されてもよい。
【符号の説明】
【００３５】
１  タッチパネル付き液晶表示装置、２  液晶表示パネル、２ａ  表示面、２ｂ  背面、２１  ＣＦ基板、２２  ＴＦＴ基板、２３  偏光板、２４  偏光板、２７  ＦＰＣ、２８  コネクタ、２９  貼り付け領域、３  タッチパネル、３ｂ  背面、３９  貼り付け領域、４  バックライトユニット、４ａ  凹部、４ｂ  背面、４ｃ  側面、４ｄ  対向面、４１  第１の枠部、４１２  張出部、４２  第２の枠部、４３  導光部材、４４  反射シート、４５  光学シート、４６  光学シート、５（５Ａ〜５Ｄ）  固定部材、５ａ  開口、５１  第１の端部、５２  第２の端部、５３  非接着部、５５  基材層、５６  接着層、５７  接着層、５８  第１の辺部、５９  第２の辺部、６  接着層、７  接着部材、８  固定部材、８１  基材層、８２  接着層。
【図１】
2014041219.tif 000003
【図２】
2014041219.tif 000004
【図３】
2014041219.tif 000005
【図４】
2014041219.tif 000006
【図５】
2014041219.tif 000007
【図６】
2014041219.tif 000008
【図７】
2014041219.tif 000009
【図８】
2014041219.tif 000010